【事件の表示】
　特許第３２１２２５４号「無線通信装置の待ち受け表示方法および無線通信装置」の請求項１乃至５に係る特許に対する特許異議の申立てについて、次のとおり決定する。
【結　論】
　訂正を認める。
　特許第３２１２２５４号の請求項１乃至４に係る特許を維持する。
【理　由】
１．手続の経緯　
　特許第３２１２２５４号の請求項１乃至５に係る発明についての出願は、平成８年７月２３日に特許出願され、平成１３年７月９日にその発明について特許権の設定登録がされ、その後、その特許について、異議申立人房安志織により特許異議の申立てがなされ、取消しの理由が通知され、その指定期間内である平成１４年８月１４日に訂正請求（後日取下げ）がなされた後、再度の取消しの理由が通知され、その指定期間内である平成１５年４月２８日に訂正請求がなされたものである。　
　
２．訂正の適否についての判断　
　
（１）訂正の内容　
　特許権者が求めている訂正の内容は以下のア乃至ケのとおりである。　
　
（ア）訂正事項ア　
　訂正前の特許請求の範囲の請求項２を削除し、以下項数を繰り上げる。　
　
（イ）訂正事項イ　
　特許請求の範囲の請求項１における「使用者によって登録された表示内容を１つ又は複数記憶し、使用者が前記登録された表示内容の表示指示をしている場合は、待受状態になると、前記記憶された」を、「使用者によって登録された表示内容を１つ又は複数記憶し、待受状態になると、使用者が前記登録された表示内容の表示指示をしているか、前記表示指示をしていないかに従って、前記表示指示をしている場合は、前記記憶された」と訂正する。
　
（ウ）訂正事項ウ　
　明細書第０００７段落における「使用者によって登録された表示内容を１つ又は複数記憶し、使用者が前記登録された表示内容の表示指示をしている場合は、待受状態になると、前記記憶された」を、「使用者によって登録された表示内容を１つ又は複数記憶し、待受状態になると、使用者が前記登録された表示内容の表示指示をしているか、前記表示指示をしていないかに従って、前記表示指示をしている場合は、前記記憶された」と訂正する。　
　
（エ）訂正事項エ　
　明細書第００２２段落における「使用者によって登録された表示内容を１つ又は複数記憶し、使用者が前記登録された表示内容の表示指示をしている場合は、待受状態になると、前記記憶された」を、「使用者によって登録された表示内容を１つ又は複数記憶し、待受状態になると、使用者が前記登録された表示内容の表示指示をしているか、前記表示指示をしていないかに従って、前記表示指示をしている場合は、前記記憶された」と訂正する。　
　
（オ）訂正事項オ　
　特許請求の範囲の請求項３における「表示内容を表示する表示部と、使用者が前記登録された表示内容の表示指示をしている場合は、待受状態になると、前記記憶部の表示内容から待受状態の表示内容として予め選択されている表示内容を前記表示部に出力し、使用者が前記登録された表示内容の表示指示をしていない場合は、」を、「表示内容を表示する表示部と、待受状態になると起動され、前記表示指示をしているか、前記表示指示をしていないかに従って、使用者が前記登録された表示内容の前記表示指示をしている場合は、前記記憶部の表示内容から待受状態の表示内容として予め選択されている表示内容を前記表示部に出力し、使用者が前記登録された表示内容の前記表示指示をしていない場合は、」と訂正する。　
　
（カ）訂正事項カ　
　明細書第０００８段落における「表示内容を表示する表示部と、使用者が前記登録された表示内容の表示指示をしている場合は、待受状態になると、前記記憶部の表示内容から待受状態の表示内容として予め選択されている表示内容を前記表示部に出力し、使用者が前記登録された表示内容の表示指示をしていない場合は、」を、「表示内容を表示する表示部と、待受状態になると起動され、前記表示指示をしているか、前記表示指示をしていないかに従って、使用者が前記登録された表示内容の前記表示指示をしている場合は、前記記憶部の表示内容から待受状態の表示内容として予め選択されている表示内容を前記表示部に出力し、使用者が前記登録された表示内容の前記表示指示をしていない場合は、」と訂正する。　
　
（キ）訂正事項キ　
　明細書第００２３段落における「記憶部がその表示内容を記憶し、使用者が登録された表示内容の表示指示をしている場合は、待受状態になると、制御部が待受状態の表示内容として予め選択されている表示内容を表示部に出力し、」を、「記憶部がその表示内容を記憶し、待受状態になると起動され、表示指示をしているか、表示指示をしていないかに従って、使用者が登録された表示内容の表示指示をしている場合は、制御部が待受状態の表示内容として予め選択されている表示内容を表示部に出力し、」と訂正する。　
　
（ク）訂正事項ク　
　特許請求の範囲の請求項１、３における「通常の待ち受け表示をする」を、「通常の待ち受け表示を行い、待ち受け時の表示処理を終了する」と訂正する。　
　
（ケ）訂正事項ケ　
　明細書第０００７段落、第０００８段落、第００２２段落及び第００２３段落における「通常の待ち受け表示をする」を、「通常の待ち受け表示を行い、待ち受け時の表示処理を終了する」と訂正する。　
　
（２）訂正の目的の適否、新規事項の有無、及び特許請求の範囲の拡張・変更の存否　
　
（訂正事項アについて）　
　上記訂正事項アは、単なる請求項の削除、及びそれに伴う請求項番号の付け換えにすぎないものであるから、特許請求の範囲の減縮に該当し、新規事項の追加に該当せず、実質上特許請求の範囲を拡張し、又は変更するものではない。　
　
（訂正事項イについて）　
　上記訂正事項イは、待受状態となった場合の表示内容と表示指示の有無との対応関係を明確にするものと認められ、又、請求項１には使用者が前記登録された表示内容の表示指示をしている場合と前記表示指示をしていない場合があること、又、使用者が前記登録された表示内容の表示指示をしている場合は、待受状態になると、前記記憶された表示内容の中から待受状態の表示内容として予め選択されている表示内容を表示部に表示し、使用者が前記登録された表示内容の表示指示をしていない場合は、通常の待ち受け表示をすることが、訂正前においても記載されているから、明りょうでない記載の釈明に該当し、又、新規事項の追加に該当せず、実質上特許請求の範囲を拡張し、又は変更するものではない。　
　　
（訂正事項ウについて）　
　上記訂正事項ウは、上記訂正事項イの訂正に伴う明細書の訂正であるから、上記訂正事項イと同様に、明りょうでない記載の釈明に該当する。　
　
（訂正事項エについて）　
　上記訂正事項エは、上記訂正事項イの訂正に伴う明細書の訂正であるから、上記訂正事項イと同様に、明りょうでない記載の釈明に該当する。　
　
（訂正事項オについて）　
　上記訂正事項オは、待受状態となった場合の表示内容と表示指示の有無との対応関係を明確にするものと認められ、又、請求項３には使用者が前記登録された表示内容の表示指示をしている場合と前記表示指示をしていない場合があること、又、使用者が前記登録された表示内容の表示指示をしている場合は、待受状態になると、前記記憶された表示内容の中から待受状態の表示内容として予め選択されている表示内容を表示部に表示し、使用者が前記登録された表示内容の表示指示をしていない場合は、通常の待ち受け表示をすることが、訂正前においても記載されているから、明りょうでない記載の釈明に該当し、又、新規事項の追加に該当せず、実質上特許請求の範囲を拡張し、又は変更するものではない。　
　
（訂正事項カについて）　
　上記訂正事項カは、上記訂正事項オの訂正に伴う明細書の訂正であるから、上記訂正事項オと同様に、明りょうでない記載の釈明に該当する。　
　
（訂正事項キについて）　
　上記訂正事項キは、上記訂正事項オの訂正に伴う明細書の訂正であるから、上記訂正事項オと同様に、明りょうでない記載の釈明に該当する。　
　
（訂正事項クについて）　
　上記訂正事項クは、請求項１、３の表示処理を限定するものであり、又、本件出願の願書に添付した明細書第００１７段落には、「【００１７】　
　次に、本発明の無線通信装置の制御部１における待ち受け時の表示処理について図３を使って説明する。図３は、本発明の無線通信装置の制御部１における待ち受け時の表示処理の流れを示すフローチャート図である。　
　本発明の無線通信装置の制御部１における待ち受け時の表示処理は、装置が待ち受け状態になる時に起動され、表示番号エリア２ｂに表示番号が格納されているかどうか判断を行い（１００）、表示番号が有る場合（Ｙｅｓの場合）は、メモリ２の表示番号テーブル２ａを参照し表示番号に対応する表示内容を読み出し（１０２）、表示内容を表示部４へ出力して表示させ（１０４）、待ち受け時の表示処理を終了する。」と記載されており、待ち受け時の表示処理を終了するという事項が記載されているから、特許請求の範囲の減縮に該当し、又、新規事項の追加に該当せず、実質上特許請求の範囲を拡張し、又は変更するものではない。　
　
（訂正事項ケについて）　
　上記訂正事項ケは、上記訂正事項クの訂正に伴う明細書の訂正であるから、明りょうでない記載の釈明に該当する。　
　
（３）むすび　
　以上のとおりであるから、上記訂正は特許法第１２０条の４第２項及び同条第３項において準用する第１２６条第２項、第３項の規定に適合するので、当該訂正を認める。　
　
３．特許異議の申立てについて　
　
（１）申立ての理由の概要　
　特許異議申立人房安志織は、特許第３２１２２５４号の請求項１乃至５に係る発明は、甲第１号証又は甲第２号証で示すものに記載された発明であり、特許法第２９条の２に規定する発明に該当し、その特許は、特許法第１１３条第２号に該当するので取り消されるべきものである旨主張している。　
　
（２）本件発明　
　特許第３２１２２５４号の請求項１乃至４に係る発明（以下、それぞれ本件発明１、本件発明２、本件発明３、本件発明４という。）は、平成１５年４月２８日付けの訂正明細書の特許請求の範囲の請求項１乃至４に記載された事項により特定される次のとおりのものである。　
　
請求項１：「使用者によって登録された表示内容を１つ又は複数記憶し、待受状態になると、使用者が前記登録された表示内容の表示指示をしているか、前記表示していないかに従って、前記表示指示をしている場合は、前記記憶された表示内容の中から待受状態の表示内容として予め選択されている表示内容を表示部に表示し、使用者が前記登録された表示内容の前記表示指示をしていない場合は、通常の待ち受け表示を行い、待ち受け時の表示処理を終了することを特徴とする無線通信装置の待ち受け表示方法。」　
　
請求項２：「待受状態の表示内容として予め選択されている表示内容が、使用者によって登録された自分の予定であることを特徴とする請求項１記載の無線通信装置の待ち受け表示方法。」　
　
請求項３：「登録する表示内容を入力すると共に前記登録された表示内容の表示指示を行う入力部と、入力された表示内容を１つ又は複数記憶する記憶部と、表示内容を表示する表示部と、待受状態になると起動され、前記表示指示をしているか、前記表示指示をしていないかに従って、使用者が前記登録された表示内容の前記表示指示をしている場合は、前記記憶部の表示内容から待受状態の表示内容として予め選択されている表示内容を前記表示部に出力し、使用者が前記登録された表示内容の前記表示指示をしていない場合は、通常の待ち受け表示を行い、待ち受け時の表示処理を終了する制御部とを有することを特徴とする無線通信装置。」　
　
請求項４：「待受状態の表示内容として予め選択されている表示内容が、使用者によって登録された自分の予定であることを特徴とする請求項３記載の無線通信装置。」　
　
（３）甲第１号証及び甲第２号証　
　甲第１号証：特願平８−１６２１３０号（特開平１０−１３８８３号）の願書に最初に添付した明細書又は図面　
　甲第２号証：特願平８−７０６１５号（特開平９−２６１３０９号）の願書に最初に添付した明細書又は図面　
　
（４）甲第１号証及び甲第２号証に記載された発明　
　
（甲第１号証について）　
　甲第１号証には、次の事項が記載されている。　
「【請求項２】前記画面データに対応して記憶され、前記画面データの表示時間帯を記憶する表示時間記憶手段を備え、　
　前記選択手段は、該表示時間帯に前記現在時刻が含まれる場合には、対応する画面データを選択することを特徴とする請求項１記載の無線選択呼出受信機。」、　
「【０００２】　
【従来の技術】従来の無線選択呼出受信機は、待ち受け時において現在時刻を表示したり、予め記憶された１つの文字データを表示器に出力している。図５は従来の無線選択呼出受信機の電気回路構成を示すブロック図である。図５において、１０は空中線であり無線呼出信号を受信する。１２は空中線１０において受信された無線呼出信号を復調してディジタル信号へ変換する受信回路である。　
【０００３】１４はデコーダであり、受信回路１２で変換されたディジタル信号から自機宛のメッセージ信号を抽出して後述する制御部１８へ出力する。また、後述するスイッチ１６からの操作信号が入力され、この操作信号をデコードし、操作データとして制御部１８へ出力する。１６は操作者によって操作され、操作者の操作に応じた操作信号をデコーダ１４へ出力するスイッチである。このスイッチ１６は、例えば、時刻設定を行う際に用いられる。　
【０００４】制御部１８は上記無線選択呼出受信機の各種動作を制御する制御部であり、デコーダ１４からメッセージ信号が出力された場合には、このメッセージ信号を後述するＲＡＭ（Random Access Memory）２２へ記憶させる。制御部２０は液晶パネルを備える表示器２０の表示内容の切り替えを制御する切替回路１８ａを備えている。この切替回路１８ａは待ち受け時における待受表示画面、メッセージを受信した場合にメッセージが表示されるメッセージ表示画面、及び操作者がスイッチ１６を操作した場合に表示する入力画面等を切り換える。　
【０００５】また、制御部１８は上記ＲＡＭ２２に書き込まれたメッセージ信号を読み出し、読み出したメッセージ信号に対応する文字のイメージデータをＲＯＭ（Read Only Memory）２４から読み出して表示器２０へ出力する。上記動作はＲＯＭ２４に記憶されている各種プログラムに基づいて行われる。さらに、制御部１８は、図示は省略しているが、時刻をカウントする時計部を有する。　
【０００６】ＲＡＭ２２は上述したメッセージ信号を記憶する他、待ち受け時に表示器２０へ表示させる文字列等を記憶する。この文字列は、操作者がスイッチ１６を操作して、予め記憶させている。また、ＲＯＭ２４は、上記文字のイメージデータが記憶されている他、無線選択呼出受信機の動作を制御する種々のプログラムを記憶する。　
【０００７】上記構成において、空中線１０に無線呼出信号が受信されず、デコーダ１４からメッセージ信号が出力されない場合には、切替回路１８ａが表示器２０を待受表示画面に切り替え、制御部１８は時計部の現在時刻から、該当するイメージデータをＲＯＭ２４から読み出す。例えば、現在時刻が２時３０分であれば、ＲＯＭ２４からイメージデータ“２”，“：”，“３”，“０”を読み出し、“２：３０”という文字列イメージデータを作成して表示器２０へ出力する。　
【０００８】この待受表示画面が表示器２０に表示されている状態において、無線呼出信号が空中線１０が無線呼出信号を受信し、デコーダ１４が受信回路１２から出力されるディジタル信号から自機宛のメッセージを抽出し、抽出したメッセージ信号を制御部１８へ出力すると、まず、制御部１８はこのメッセージ信号をＲＡＭ２２へ記憶させる。次に切替回路１８ａは表示器２０をメッセージ表示画面に切り替える。　
【０００９】次に、制御部１８はＲＡＭ２２に記憶されたメッセージ信号に基づいて、ＲＯＭ２４に記憶された文字のイメージデータを検索して文字列イメージデータを作成し、この文字列イメージデータを表示器２０へ出力する。表示器２０がメッセージ表示画面に設定されている場合、所定の時間経過すると切り換え回路１８ａは待受表示画面に切り替える。また、待ち受け時に表示する文字列がＲＡＭ２２に記憶されている場合には、制御部１８はこの文字列を読み出して表示部２０へ出力する。　
【００１０】　
【発明が解決しようとする課題】ところで、従来の無線選択呼出受信機では、待ち受け時においては、表示器２０には現在時刻のみ、又は予めＲＡＭ２２に記憶した文字列が表示されているだけであった。従って、表示器に表示される内容に対して外観上のデザインの一部としての工夫はなされていなかった。」、　
「【００１５】　
【発明の実施の形態】以下、図面を参照して本発明の一実施形態について説明する。図１は本発明の一実施形態による無線選択呼出受信機の電気回路構成を示すブロック図であり、図５に示された従来の無線選択呼出受信機と共通する部分には同一の符号を付し、その説明を省略する。図１に示された本発明の一実施形態による無線選択呼出受信機が、図５に示された従来の無線選択呼出受信機と異なる点は、主に、待ち受け時に表示器２０に表示される内容を記憶する画面データ記憶部３４と、この画面データの表示時刻を記憶する画面予約部３０ｂを備える制御部３０とが設けられた点である。　
【００１６】上記画面データ記憶部３４は、イラスト３４ａ、名刺３４ｂ、カレンダー３４ｃ、及び置き時計３４ｄ等の画面データを記憶する。画面データが名刺３４ｂである場合には、操作者がスイッチ１６を操作して入力する。あるいは外部のパーソナルコンピュータ等によって名刺３４ｂを作成し、入力装置（図示省略）から入力する。その他の画面データに対しては、上記パーソナルコンピュータによって画面を作成し、上記入力装置から入力しても良い。３６は時計部であり、時刻をカウントして現在時刻を制御部３０へ出力する。上記制御部３０に設けられた画面予約部３０ｂは、画面データ記憶部３４に記憶された複数の画面データに対して各々を表示する時刻を記憶する。　
【００１７】図２は画面予約部３０ｂに記憶された内容の一例を示す表である。図２中表に示されるように、表示時刻が格納されたフィールドＣ１と、フィールドＣ１に格納された表示時刻に表示する画面データの識別子が格納されたフィールドＣ２とからなる複数のレコードが記憶される。例えば、レコードＲ１は６時３０分に置き時計の画面データを表示するという内容である。この内容は、操作者がスイッチ１６を操作して予め記憶させている。ここで、フィールドＣ１には表示画面開始時刻のみが記憶されているが、６時３０分から９時までは、置き時計を表示するという意味を有する。つまり、表示時間帯が記憶されていると同義である。　
【００１８】また、制御部３０に設けられた時刻比較部３０ｃは、時計部３６によってカウントされている現在時刻と、画面予約部３０ｂに記憶された複数のレコードのうち、フィールドＣ１に格納された時刻とを比較し、比較信号を出力する。この比較信号は、表示器２０へ出力する画面データの種類を示す信号である。切替回路３０ａは、図５中の切替回路１８ａと同様の機能を有する。制御部３０は、デコーダ１４からメッセージ信号が出力された場合は、従来と同様に、メッセージ信号をＲＡＭ２２へ記憶させるが、メッセージ信号が出力されない場合には、時刻比較部３０ｃから出力される比較信号に基づいて、画面データ記憶部３４から該当する種類の画面データを表示器２０へ出力する。尚、図示は省略しているが、従来と同様にＲＯＭ２４が設けられる。　
【００１９】上記構成において、まず、画面予約部３０ｂへの予約時刻を記憶させるときの動作の説明を行う。操作者がスイッチ１６を操作すると、切替回路３０ａがスイッチ１６の操作に従って画面データ記億部３４に記憶された画面データを表示器２０へ出力する。この動作は操作者が画面データを選択終了するまで行われる。画面データを選択終了した旨の操作データが入力された場合には、切替回路３０ａは選択された画面データに対する表示開始時刻の入力画面に切り替える。そして、制御部３０ｂは操作データに基づいて得られた表示開始時刻と、上記選択された画面データの種類を画面予約部３０ｂへ出力する。複数の画面データを選択する場合はこの操作を繰り返し行う。このようにして、図２に示された内容が画面予約部３０ｂへ記憶される。　
【００２０】　次に、無線呼出信号を受信した場合の動作を述べる。デコーダ１４からメッセージ信号が出力された場合には、制御部３０はメッセージ信号をＲＡＭ２２へ記憶させる。次に、切替回路３０ｃは表示器２０の表示画面をメッセージ表示画面へ切り替える。そして、制御部３０がＲＡＭ２２に記憶したメッセージ信号を表示器２０へ出力する。尚、メッセージ信号が表示器２０へ出力されてから所定の時間が経過すると、切替回路３０ａは待受表示画面に切り替える。　
【００２１】上記待受表示画面に表示が切り替わる場合には、まず、時刻比較部３０ｃが時計部３６から出力される現在時刻をキーとして、画面予約部３０ｂに記憶された複数のレコードのフィールドＣ１を検索し、フィールドＣ１に格納された時刻と現在時刻とを比較し、現在時刻において表示される画面データの種類を示す比較信号を出力する。例えば、現在時刻が１１時３０分であれば、カレンダーを示す比較信号を出力する。制御部３０は、この比較信号に基づいて、画面データ記憶部３４に記憶されているカレンダー３４ｃを読み出し、表示部２０へ出力する。　
【００２２】時間が経過し、現在時刻が１７時となった場合には、時刻比較部３０ｃは画面予約部３０ｂに記憶された複数のレコードのフィールドＣ１を検索し、フィールドＣ１に格納された時刻と現在時刻とを比較し、現在時刻に表示する画面データの種類を示す比較信号を出力する。この場合にはレコードＲ３に格納されたイラストの種類が比較信号として出力される。そして、制御部３０は画面データ記憶部３４に記憶されているイラスト３４ａを読み出して表示部２０へ出力する。このように、待受表示画面が表示されている場合であっても、画面予約部３０ｂに記憶された内容に基づいて、画面の表示が切り替わる。尚、待受画面が表示されているときに、メッセージ信号を受信した場合には、メッセージ表示画面に切り替わり、メッセージが表示された後、所定の時間が経過すると、もとの待受表示画面に切り替わる。
【００２３】図３（ａ）〜３（ｃ）及び図４（ａ）〜４（ｃ）は、待受表示画面に表示される内容の一例であり、図３（ａ）〜（ｃ）は学生等のパーソナル向けの待受表示画面である。図３（ａ）は、６時３０分から９時の朝の時間帯に表示される画面であり、置き時計が表示される。図３（ｂ）は、９時から１７時の時間帯に表示される画面であり、カレンダーを表示する。図３（ｃ）は、１７から翌朝６時３０分のプライベートな時間帯に表示される画面であり、イラスト（おつかれさまメッセージ付き）を表示する。　
【００２４】また、図４（ａ）〜４（ｃ）はビジネス向けの待受表示画面である。図４（ａ）は６時から９時までの時間帯に表示される画面であり、イラスト（おはようメ一ッセージ付き）が表示される。９時から２０時までのワークタイムには図３（ｂ）に示された画面、即ち使用者の名刺画面が表示される。また、２０時から翌朝６時までのプライベートな時間帯には図４（ｃ）に示されたように、趣味のイラスト画面が表示される。　
【００２５】尚、図３（ａ）〜３（ｃ）及び図４（ａ）〜４（ｃ）では、デザイン性を分かりやすくするために双方、外観イメージにて表してある。」
　
（甲第２号証について）　
　甲第２号証には、次の事項が記載されている。　
「【００１３】まず、子機２００の電源を投入すると、制御回路２１７は、内部フラグレジスタに０をストアし、そしてこのフラグの設定状態を判定する（Ｓ１，２）。ここでは、まだフラグは０であるため、制御回路２１７は「初期設定ラベル表示」を行う（Ｓ３）。この初期設定ラベル表示は、”Cordless Telephone”を表示器２０７に表示するものである。また、後述するラベル表示の変更処理（Ｓ７）にて使用者設定ラベル表示を選択すると、フラグが１に設定されるので、ステップＳ２からステップＳ４に移行し、使用者が設定した英数字等を表示することになる。子機２００の制御回路２１７は、この後、着信の有無、表示キー２１４の操作の有無を判定し（Ｓ５，６）、これらの判定中は上記ラベル表示を継続する。　
【００１４】 もし、着信があると、親機１００は着信信号及び電話番号判定回路１０７で検出した発信者電話番号のデータ信号を所定の形式で子機２００に送信する。これらの信号を受信した子機２００の制御回路２１７は、表示器２０７に発信者電話番号を表示すると共に、ベル２１６を駆動する（Ｓ５，８，９）。尚、親機１００は、着信が継続している間は、着信信号を繰り返し送信している。もし、発呼者が受話器を下ろし、発呼を中止すれば、親機１００からの着信信号の送信が停止されるので、子機２００の制御回路２１７はベル２１６の駆動を停止し、前述したステップＳ２に戻り、いずれかのラベル表示を行う（Ｓ１１）。」、　
「【００１７】図４は、使用者設定ラベル表示への変更処理に関する動作説明図で、前述したように表示キー２１４を操作すると、制御回路２１７は表示器２０７に（１）（使用可能な文字の制限により、丸付数字をこのように表し、以下、同様とする。）の如き初期設定ラベル表示と使用者設定ラベル表示の選択画面を表示させる。ここで、使用者が♯キーを操作すると、（２）の表示をしテンキー２０９、切換キー２１２，２１３からの入力待ちとなる。以後は、テンキー２０９、切換キー２１２，２１３からの入力に応じて所定の英数字等を表示をすることになり、例えばＡｄｅをに入力したとすると、（３）の表示をする。使用者所望の英数字等が入力された後、メモリキー２１５が操作されると、制御回路２１７は、（４）の如き登録の確認表示を５秒間行い、その後に表示内容のデータを内部メモリにストアしてフラグを１に設定し、変更処理を終了する。」　
　
（５）対比・判断　
　
（本件発明１乃至４と甲第１号証に記載された発明）　
　本件発明１乃至４と甲第１号証に記載された発明を対比する。　
　本件発明１乃至４と甲第１号証に記載された発明は、表示指示をしている場合は、記憶された表示内容の中から待受状態の表示内容として予め選択されている表示内容を表示部に表示し、使用者が登録された表示内容の表示指示をしていない場合は、通常の待ち受け表示を行った後の処理として、前者がいずれも、待ち受け時の表示処理を終了するものであるのに対して、後者が、時間が経過した場合、現在時刻をキーとして、画面予約部３０ｂのフィールドＣ１を検索し、フィールドＣ１に格納された時刻と現在時刻とを比較し、この比較に基づいて表示部２０へ画面データを出力するという表示処理を繰り返す点で相違している。　
　したがって、本件発明１乃至４と甲第１号証に記載された発明とは上記の点において相違しており、本件発明１乃至４と甲第１号証に記載された発明は同一ではない。
　
（本件発明１乃至４と甲第２号証に記載された発明）　
　本件発明１乃至４と甲第２号証に記載された発明を対比する。　
　本件発明１乃至４と甲第２号証に記載された発明は、前者がいずれも、記憶された表示内容の中から待受状態の表示内容として予め選択するという構成を採用しているのに対して、後者において、使用者が所定の英数字等を入力することにより初期設定ラベル表示と使用者設定ラベル表示を選択する点は開示されているものの、記憶された表示内容の中から待受状態の表示内容として予め選択するという構成はなく、この点で相違している。　
　したがって、本件発明１乃至４と甲第２号証に記載された発明とは上記の点において相違しており、本件発明１乃至４と甲第２号証に記載された発明は同一ではない。　
　
（６）むすび　
　以上のとおりであるから、特許異議申立ての理由及び証拠によっては、本件請求項１乃至４に係る発明の特許を取り消すことはできない。　
　また、他に本件請求項１乃至４に係る発明の特許を取り消すべき理由を発見しない。　
　
　よって、結論のとおり決定する。
【異議決定日】
平成１５年６月１７日（２００３．６．１７）
【訂正の要旨】
　特許第３２１２２５４号の明細書における特許請求の範囲の請求項１−５において、元の請求項２を削除し、以下項数を繰り上げ、請求書に添付した訂正明細書のとおりに、すなわち
　ａ．特許請求の範囲の請求項１及び【０００７】における「使用者によって登録された表示内容を１つ又は複数記憶し、使用者が前記登録された表示内容の表示指示をしている場合は、待受状態になると、前記記憶された」を「使用者によって登録された表示内容を１つ又は複数記憶し、
待受状態になると、
か、前記表示指示をしていないかに従って、前記表示指示をしている
は、前
　ｂ．明細書の【００２２】における「使用者によって登録された表示内容を１つ又は複数記憶し、使用者が登録された表示内容の表示指示をしている場合は、待受状態になると、記憶された」を「使用者によって登録された表示内容を１つ又は複数記憶し、
待受状態になると、
か、その表示指示をしていないかに従って、その表示指示をしている
は、記
　ｃ．特許請求の範囲の請求項３及び【０００８】における「表示内容を表示する表示部と、使用者が前記登録された表示内容の表示指示をしている場合は、待受状態になると、前記記憶部の表示内容から待受状態の表示内容として予め選択されている表示内容を前記表示部に出力し、使用者が前記登録された表示内容の表示指示をしていない場合は、」を「表示内容を表示する表示部と、
待受状態になると起動され、前記表示指示をしているか、前記表示指示をしていないかに従って、
前記
は、前
前記
　ｄ．明細書の【００２３】における「記憶部がその表示内容を記憶し、使用者が登録された表示内容の表示指示をしている場合は、待受状態になると、制御部が待受状態の表示内容として予め選択されている表示内容を表示部に出力し、」を「記憶部がその表示内容を記憶し、
待受状態になると起動され、表示指示をしているか、表示指示をしていないかに従って、
は、制
　ｅ．特許請求の範囲の請求項１、３、【０００７】、【０００８】、【００２２】及び【００２３】における「通常の待ち受け表示をする」を「通常の待ち受け表示を
行い、待ち受け時の表示処理を終了
（５４）【発明の名称】
無線通信装置の待ち受け表示方法および無線通信装置
（５７）【特許請求の範囲】
　【請求項１】　使用者によって登録された表示内容を１つ又は複数記憶し、
待受状態になると、
か、前記表示指示していないかに従って、前記表示指示をしている
は、前
前記
行い、待ち受け時の表示処理を終了
　【請求項
２
１記
　【請求項
３
待受状態になると起動され、前記表示指示をしているか、前記表示指示をしていないかに従って、
前記
は、前
前記
を行い、待ち受け時の表示処理を終了する
　【請求項
４
３
【発明の詳細な説明】
　【０００１】
　【発明の属する利用分野】
　本発明は、表示部を有する無線通信装置における待ち受け表示方法に係り、特に使用者によって登録された表示内容を表示できる無線通信装置の待ち受け表示方法及び無線通信装置に関する。
　【０００２】
　【従来の技術】
　まず、無線通信装置とは、例えば、携帯電話機、簡易型携帯電話機（Ｐｅｒｓｏｎａｌ　Ｈａｎｄｙ−ｐｈｏｎｅ　Ｓｙｓｔｅｍ：ＰＨＳ）、トランシーバ、ぺージャ等の携帯型の無線通信装置のことである。
　【０００３】
　従来の無線通信装置における待ち受け表示方法について、図５を使って説明する。図５は、従来の無線通信装置の表示部における待ち受け表示の表示例を示す説明図である。
　従来の無線通信装置における第１の待ち受け表示方法は、図５（ａ）に示すように、電波等の状態表示のみを行うものであり、第２の待ち受け表示方法は、図５（ｂ）に示すように、状態表示と時計表示を行うものであり、第３の待ち受け表示方法は、図５（ｃ）に示すように、状態表示と予め定められたメッセージ（例えば、「ＨＥＬＬＯ　ＰＬＥＡＳＥ　ＣＡＬＬ」等）の表示を行うものであった。
　【０００４】
　【発明が解決しようとする課題】
　しかしながら、上記従来の無線通信装置の第１の待ち受け表示方法では、表示可能なスペースが空いており、表示スペースが有効に利用されていないという問題点があった。
　【０００５】
　また、第２、第３の待ち受け表示方法では、表示する内容が決められており、使用者によっては、必要がない表示であるという問題点があった。
　【０００６】
　本発明は上記実情に鑑みて為されたもので、待受時に使用者によって登録された表示内容を表示することによって、表示スペースを有効に利用できる無線通信装置の待ち受け表示方法及び無線通信装置を提供することを目的とする。
　【０００７】
　【課題を解決するための手段】
　上記従来例の問題点を解決するための請求項１記載の発明は、無線通信装置の待ち受け表示方法において、使用者によって登録された表示内容を１つ又は複数記憶し、
待受状態になると、
か、前記表示指示していないかに従って、前記表示指示をしている
は、前
前記
行い、待ち受け時の表示処理を終了
　請求項
２
　【０００８】
　上記従来例の問題点を解決するための請求項
３
待受状態になると起動され、前記表示指示をしているか、前記表示指示をしていないかに従って、
前記
は、前
前記
を行い、待ち受け時の表示処理を終了する
　請求項
４
　【０００９】
　【発明の実施の形態】
　請求項に係る発明について、その実施の形態を図面を参照しながら説明する。
　本発明に係る無線通信装置における待ち受け表示方法は、使用者によって登録された１つ又は複数の表示内容を記憶し、待ち受け状態になると、記憶している表示内容の中で選択された表示内容を表示部へ表示することによって、使用者の好みに合わせて表示スペースを有効に利用できるものである。
　【００１０】
　まず、本発明の無線通信装置の構成について、図１を使って説明する。図１は、本発明に係る無線通信装置の構成ブロック図である。
　本発明の無線通信装置は、制御部１と、メモリ２と、入力部３と、表示部４とから構成されている。
　【００１１】
　次に、本発明の無線通信装置の各部について具体的に説明する。
　入力部３は、待受時の表示内容及びその番号の入力と、複数登録されている表示内容から表示する内容の番号（表示番号）を選択する入力とを行うものである。
　【００１２】
　表示部４は、使用者によって登録され、選択された表示内容を表示するもので、具体的には、制御部１から出力される表示信号に従って、表示内容等を表示するようになっている。
　【００１３】
　メモリ２は、使用者によって登録された表示内容を記憶する表示内容テーブル２ａと、待受時に表示する表示内容の番号（表示番号）を記憶する表示番号エリア２ｂとを有する記憶部である。
　【００１４】
　ここで、表示内容テーブル２ａは、図２に示すように、Ｎｏ．と表示内容とで構成され、Ｎｏ．には、表示内容に対応する番号が格納され、表示内容には、使用者によって作成し登録された表示内容が格納されるようになっている。図２は、本発明の無線通信装置のメモリ２内の表示内容テーブル２ａのフォーマット図である。
　【００１５】
　制御部１は、表示内容の登録を行う登録処理と、表示する表示内容の番号（表示番号）を選択する選択処理と、待受時の表示を行う表示処理とを行うものである。
　【００１６】
　ここで、登録処理とは、具体的に入力部３から表示内容とその番号（Ｎｏ．）とを入力し、メモリ２の表示内容テーブル２ａに、Ｎｏ．に対応して表示内容を格納する処理である。
　また、選択処理は、入力部３から待受時に表示する表示内容のＮｏ．を選択入力し、メモリ２の表示番号エリア２ｂに入力した番号を表示番号として格納する処理である。
　【００１７】
　次に、本発明の無線通信装置の制御部１における待ち受け時の表示処理について図３を使って説明する。図３は、本発明の無線通信装置の制御部１における待ち受け時の表示処理の流れを示すフローチャート図である。
　本発明の無線通信装置の制御部１における待ち受け時の表示処理は、装置が待ち受け状態になる時に起動され、表示番号エリア２ｂに表示番号が格納されているかどうか判断を行い（１００）、表示番号が有る場合（Ｙｅｓの場合）は、メモリ２の表示番号テーブル２ａを参照し表示番号に対応する表示内容を読み出し（１０２）、表示内容を表示部４へ出力して表示させ（１０４）、待ち受け時の表示処理を終了する。
　【００１８】
　一方、処理１００において、表示番号が無い場合（Ｎｏの場合）は、通常の待ち受け表示を行い（１０６）、待ち受け時の表示処理を終了する。
　【００１９】
　次に、本発明の無線通信装置における待ち受け表示例について、図４を使って説明する。図４は、本発明の無線通信装置の表示部４における待受表示例を示す説明図である。
　本発明の無線通信装置における待ち受け表示は、例えば図４（ａ）に示すように、使用者によって登録された自分の予定を表示したり、図４（ｂ）に示すように、使用者によって登録された簡単な図形を表示することができる。
　【００２０】
　本発明に係る無線通信装置における待ち受け表示方法によれば、使用者によって登録された表示内容をメモリ２の表示内容テーブル２ａに記憶し、メモリ２の表示番号エリア２ｂに待ち受け中に表示する表示内容の番号である表示番号を記憶して、待ち受け状態になると、表示番号エリア２ｂを参照してメモリ２の表示内容テーブル２ａから表示番号に対応する表示内容を読み出し、表示部４へ表示することによって、表示スペースを有効に利用できる効果がある。
　【００２１】
　また、表示内容を複数登録し、表示内容を登録した中から選択できるので、使用者の好みや状況に応じて、待受時の表示内容を切り替えることができ、利用形態を拡大できる効果がある。
　【００２２】
　【発明の効果】
　本発明によれば、使用者によって登録された表示内容を１つ又は複数記憶し、
待受状態になると、
か、その表示指示をしていないかに従って、その表示指示をしている
は、記
行い、待ち受け時の表示処理を終了
　【００２３】
　本発明によれば、入力部が登録する表示内容を入力すると共に登録された表示内容の表示指示を行い、記憶部がその表示内容を記憶し、
待受状態になると起動され、表示指示をしているか、表示指示をしていないかに従って、
は、制
を行い、待ち受け時の表示処理を終了
【図面の簡単な説明】
　【図１】
　本発明に係る無線通信装置の構成ブロック図である。
　【図２】
　本発明の無線通信装置の表示内容テーブルのフォーマット図である。
　【図３】
　本発明の無線通信装置の制御部における待ち受け時の表示処理の流れを示すフローチャート図である。
　【図４】
　本発明の無線通信装置の表示部における待受時の表示例を示す説明図である。
　【図５】
　従来の無線通信装置の表示部における待受時の表示例を示す説明図である。
　【符号の説明】
　１…制御部、　２…メモリ、　２ａ…表示内容テーブル、　２ｂ…表示番号エリア、　３…入力部、　４…表示部